(57)【要約】【課題】未退店者の来店を監視する。【解決手段】入店登録部２１７ａは、入店者の顔画像を蓄積する。退店者計算部２３２ｂは、退店者の顔画像と、蓄積された入店者の顔画像との類似度を計算して照合し、退店者判定部２３３ｂは、照合結果である類似度と所定の閾値との比較により、退店者の顔画像が入店者の顔画像であるか否かを判定し、退店登録部２１７ｂは、退店者が入店者であると判定された場合、蓄積された入店者の顔画像に対応付けて退店者を登録し、通信部２１４は、閉店が指示された時刻において、入店者の顔画像のみが蓄積されている顔画像を未退店者として通知する。本発明は、監視システムに適用することができる。【選択図】図１０
2008023097.tif 000002
【特許請求の範囲】
【請求項１】
入店者の顔画像を蓄積する入店者蓄積手段と、
退店者の顔画像と、前記入店者蓄積手段に蓄積された入店者の顔画像との類似度を計算し、照合する照合手段と、
前記照合手段の照合結果である類似度と所定の閾値との比較により、前記退店者の顔画像が前記入店者の顔画像であるか否かを判定する類似度判定手段と、
前記類似度判定手段により前記退店者が前記入店者であると判定された場合、前記入店者蓄積手段に蓄積された入店者の顔画像に対応付けて退店者を登録する登録手段と、
閉店が指示された時刻において、前記蓄積手段に入店者の顔画像のみが蓄積されている顔画像を未退店者として通知する未退店者通知手段と
を含む監視装置。
【請求項２】
画像を撮像する撮像手段と、
前記撮像手段により撮像された画像より、前記入店者、または前記退店者の顔画像を抽出する顔画像抽出手段と、
前記退店者の顔画像より特徴量を抽出する特徴量抽出手段とをさらに含み、
前記入店者蓄積手段は、前記顔画像抽出手段により抽出された入店者の顔画像を蓄積し、
前記照合手段は、前記顔画像抽出手段により抽出された退店者の顔画像と、前記入店者蓄積手段に蓄積された入店者の顔画像との特徴量を用いて類似度を計算し、前記退店者の顔画像と、前記入店者蓄積手段に蓄積された入店者の顔画像とを照合する
請求項１に記載の監視装置。
【請求項３】
前記未退店者として判定された入店者の顔画像を居残り者の顔画像として蓄積する居残り者蓄積手段をさらに含む
請求項１に記載の監視装置。
【請求項４】
前記照合手段は、さらに、前記入店者の顔画像と、前記居残り者蓄積手段に蓄積された居残り者の顔画像との類似度を計算して、照合し、
前記類似度判定手段は、さらに、前記照合手段の照合結果である類似度と所定の閾値との比較により、前記入店者の顔画像が居残り者の顔画像であるか否かを判定し、
前記入店者が前記居残り者であると判定された場合、前記居残り者が入店者であることを通知する居残り者入店通知手段をさらに含む
請求項３に記載の監視装置。
【請求項５】
入店者の顔画像を蓄積する入店者蓄積ステップと、
退店者の顔画像と、前記入店者蓄積手段に蓄積された入店者の顔画像との類似度を計算し、照合する照合ステップと、
前記照合ステップの処理での照合結果である類似度と所定の閾値との比較により、前記退店者の顔画像が前記入店者の顔画像であるか否かを判定する類似度判定ステップと、
前記類似度判定ステップの処理により前記退店者が前記入店者であると判定された場合、前記入店者蓄積ステップの処理で蓄積された入店者の顔画像に対応付けて退店者を登録する登録ステップと、
閉店が指示された時刻において、前記蓄積手段に入店者の顔画像のみが蓄積されている顔画像を未退店者として通知する未退店者通知ステップと
を含む監視方法。
【請求項６】
入店者の顔画像を蓄積する入店者蓄積ステップと、
退店者の顔画像と、前記入店者蓄積手段に蓄積された入店者の顔画像との類似度を計算し、照合する照合ステップと、
前記照合ステップの処理での照合結果である類似度と所定の閾値との比較により、前記退店者の顔画像が前記入店者の顔画像であるか否かを判定する類似度判定ステップと、
前記類似度判定ステップの処理により前記退店者が前記入店者であると判定された場合、前記入店者蓄積ステップの処理で蓄積された入店者の顔画像に対応付けて退店者を登録する登録ステップと、
閉店が指示された時刻において、前記蓄積手段に入店者の顔画像のみが蓄積されている顔画像を未退店者として通知する未退店者通知ステップと
を含む処理をコンピュータに実行させるプログラム。
【発明の詳細な説明】
【技術分野】
【０００１】
本発明は、監視装置および監視方法、並びにプログラムに関し、特に、閉店処理を支援すると共に、未退店者の有無および居残り者の来店を監視できるようにした監視装置および方法、並びにプログラムに関する。
【背景技術】
【０００２】
遊技店などの不特定多数の来店客の全員が、閉店時刻となった後、退店しているか否かを監視し、係員による閉店処理を支援する技術が一般に普及しつつある。
【０００３】
係員による閉店処理を支援する技術としては、入店者と退店者をそれぞれ検出するセンサにより、双方の人数をカウントし、差分を取ることで、店内存在人数を把握し、閉店処理時に店内存在人数が０でない場合、警報にて報知するものが提案されている（特許文献１参照）。
【０００４】
【特許文献１】特開平８−１８２８４２号公報
【発明の開示】
【発明が解決しようとする課題】
【０００５】
ところで、パチンコ店やパチスロ店に代表される、遊技店において、来店する遊技者の中に、不正行為を働く者が存在する。この不正行為は、遊技中になされる不正もあるが、閉店時刻が過ぎても遊技店内に居残り、従業員の少なくなったタイミングで集金作業を狙ったりする行為のみならず、遊技台を不正に改造するといった、閉店後の不正も少なくない。
【０００６】
このため、遊技店の係員は、閉店時刻が経過した後、遊技者全員が退店しているか否かを目視で確認する必要がある。結果として、閉店後、速やかに開始すべき、集金作業や清掃作業が遅れてしまい、閉店処理を効率的に実施することができないことがあった。
【０００７】
また、係員による目視での確認のため、閉店後、退店せずに遊技店内に潜んでいる不正人物が発見できなければ、実際に不正行為が実施されることになる。この際、不正人物を通常の監視カメラにより確認することはできるものの、顔をマスクなどにより隠した状態で不正行為がなされると、不正人物が誰であるかを特定することができなかった。
【０００８】
さらに、上記の例においては、入退場数のみを管理しているため、遊技店内に居残っていると思われる不正人物の位置や不正人物が誰であるのかを特定することができなかった。しかも、閉店後、退店せずに遊技店内に潜んでいる不正人物が発見できなければ、係員が不正人物に襲われるなどの危険にも曝されることになる。
【０００９】
また、不正人物が逃走してしまったような場合、不正人物を特定するだけの材料がなく、同一不正人物による被害の再発を防止することができない可能性があった。
【００１０】
本発明はこのような状況に鑑みてなされたものであり、閉店処理を支援すると共に、未退店者の有無、および居残り者の来店を監視できるようにするものである。
【課題を解決するための手段】
【００１１】
本発明の一側面の監視装置は、入店者の顔画像を蓄積する入店者蓄積手段と、退店者の顔画像と、前記入店者蓄積手段に蓄積された入店者の顔画像との類似度を計算し、照合する照合手段と、前記照合手段の照合結果である類似度と所定の閾値との比較により、前記退店者の顔画像が前記入店者の顔画像であるか否かを判定する類似度判定手段と、前記類似度判定手段により前記退店者が前記入店者であると判定された場合、前記入店者蓄積手段に蓄積された入店者の顔画像に対応付けて退店者を登録する登録手段と、閉店が指示された時刻において、前記蓄積手段に入店者の顔画像のみが蓄積されている顔画像を未退店者として通知する未退店者通知手段とを含む。
【００１２】
画像を撮像する撮像手段と、前記撮像手段により撮像された画像より、前記入店者、または前記退店者の顔画像を抽出する顔画像抽出手段と、前記退店者の顔画像より特徴量を抽出する特徴量抽出手段とをさらに含ませるようにすることができ、前記入店者蓄積手段には、前記顔画像抽出手段により抽出された入店者の顔画像を蓄積させるようにすることができ、前記照合手段には、前記顔画像抽出手段により抽出された退店者の顔画像と、前記入店者蓄積手段に蓄積された入店者の顔画像との特徴量を用いて類似度を計算させ、前記退店者の顔画像と、前記入店者蓄積手段に蓄積された入店者の顔画像とを照合させるようにすることができる。
【００１３】
前記未退店者として判定された入店者の顔画像を居残り者の顔画像として蓄積する居残り者蓄積手段をさらに含ませるようにすることができる。
【００１４】
前記照合手段には、さらに、前記入店者の顔画像と、前記居残り者蓄積手段に蓄積された居残り者の顔画像との類似度を計算して、照合させるようにすることができ、前記類似度判定手段には、さらに、前記照合手段の照合結果である類似度と所定の閾値との比較により、前記入店者の顔画像が居残り者の顔画像であるか否かを判定させるようにすることができ、前記入店者が前記居残り者であると判定された場合、前記居残り者が入店者であることを通知する居残り者入店通知手段をさらに含ませるようにすることができる。
【００１５】
本発明の一側面の監視方法は、入店者の顔画像を蓄積する入店者蓄積ステップと、退店者の顔画像と、前記入店者蓄積手段に蓄積された入店者の顔画像との類似度を計算し、照合する照合ステップと、前記照合ステップの処理での照合結果である類似度と所定の閾値との比較により、前記退店者の顔画像が前記入店者の顔画像であるか否かを判定する類似度判定ステップと、前記類似度判定ステップの処理により前記退店者が前記入店者であると判定された場合、前記入店者蓄積ステップの処理で蓄積された入店者の顔画像に対応付けて退店者を登録する登録ステップと、閉店が指示された時刻において、前記蓄積手段に入店者の顔画像のみが蓄積されている顔画像を未退店者として通知する未退店者通知ステップとを含む。
【００１６】
本発明の一側面のプログラムは、入店者の顔画像を蓄積する入店者蓄積ステップと、退店者の顔画像と、前記入店者蓄積手段に蓄積された入店者の顔画像との類似度を計算し、照合する照合ステップと、前記照合ステップの処理での照合結果である類似度と所定の閾値との比較により、前記退店者の顔画像が前記入店者の顔画像であるか否かを判定する類似度判定ステップと、前記類似度判定ステップの処理により前記退店者が前記入店者であると判定された場合、前記入店者蓄積ステップの処理で蓄積された入店者の顔画像に対応付けて退店者を登録する登録ステップと、閉店が指示された時刻において、前記蓄積手段に入店者の顔画像のみが蓄積されている顔画像を未退店者として通知する未退店者通知ステップとを含む処理をコンピュータに実行させる。
【００１７】
本発明の一側面の監視装置および方法、並びにプログラムにおいては、入店者の顔画像が蓄積され、退店者の顔画像と、蓄積された入店者の顔画像との類似度が計算されて、照合され、照合結果である類似度と所定の閾値との比較により、前記退店者の顔画像が前記入店者の顔画像であるか否かが判定され、前記退店者が前記入店者であると判定された場合、蓄積された入店者の顔画像に対応付けて退店者が登録され、閉店が指示された時刻において、入店者の顔画像のみが蓄積されている顔画像が未退店者として通知される。
【００１８】
本発明の監視装置における、入店者の顔画像を蓄積する入店者蓄積手段は、例えば、入店登録部であり、退店者の顔画像と、前記入店者蓄積手段に蓄積された入店者の顔画像との類似度を計算し、照合する照合手段とは、例えば、退店者計算部であり、前記照合手段の照合結果である類似度と所定の閾値との比較により、前記退店者の顔画像が前記入店者の顔画像であるか否かを判定する類似度判定手段とは、例えば、退店者判定部であり、前記類似度判定手段により前記退店者が前記入店者であると判定された場合、前記入店者蓄積手段に蓄積された入店者の顔画像に対応付けて退店者を登録する登録手段とは、例えば、退店登録部であり、閉店が指示された時刻において、前記蓄積手段に入店者の顔画像のみが蓄積されている顔画像を未退店者として通知する未退店者通知手段とは、例えば、通信部である。
【００１９】
入店者の顔画像と、退店者の顔画像とが登録され、閉店が指示された時刻において、入店者の顔画像のみが蓄積されている顔画像を未退店者として通知することにより、閉店時刻以降に店内に潜んでなされる不正行為を抑制することが可能となる。また、未退店者として判定された顔画像を居残り者として蓄積することにより、未退店者として確保ができなくても、未退店者として判定された人物の顔画像を居残り者の顔画像として登録することにより、居残り者の来店を監視することが可能となる。さらに、未退店者の有無により閉店処理を支援することが可能となる。
【発明の効果】
【００２０】
本発明によれば、閉店処理を支援すると共に、未退店者を検出したり、居残り者の来店を監視することが可能となる。
【発明を実施するための最良の形態】
【００２１】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
すなわち、本発明の一側面の監視装置は、入店者の顔画像を蓄積する入店者蓄積手段（例えば、図１０の入店登録部２１７ａ）と、退店者の顔画像と、前記入店者蓄積手段に蓄積された入店者の顔画像との類似度を計算し、照合する照合手段（例えば、図１０の退店者計算部２３２ｂ）と、前記照合手段の照合結果である類似度と所定の閾値との比較により、前記退店者の顔画像が前記入店者の顔画像であるか否かを判定する類似度判定手段（例えば、図１０の退店者判定部２３３ｂ）と、前記類似度判定手段により前記退店者が前記入店者であると判定された場合、前記入店者蓄積手段に蓄積された入店者の顔画像に対応付けて退店者を登録する登録手段（例えば、図１０の退店登録部２１７ｂ）と、閉店が指示された時刻において、前記蓄積手段に入店者の顔画像のみが蓄積されている顔画像を未退店者として通知する未退店者通知手段（例えば、図１０の通信部２１４）とを含む。
【００２３】
画像を撮像する撮像手段（例えば、図１の入口カメラ４０）と、前記撮像手段により撮像された画像より、前記入店者、または前記退店者の顔画像を抽出する顔画像抽出手段（例えば、図９の顔画像抽出部２０２）と、前記顔画像抽出手段により抽出された退店者の顔画像より特徴量を抽出する特徴量抽出手段（例えば、図１０の特徴量抽出部２３１）とをさらに含ませるようにすることができ、前記入店者蓄積手段には、前記顔画像抽出手段により抽出された入店者の顔画像を蓄積させるようにすることができ、前記照合手段（例えば、図１０の退店者計算部２３２ｂ）には、前記退店者の顔画像と、前記入店者蓄積手段に蓄積された入店者の顔画像との特徴量を用いて類似度を計算させ、前記退店者の顔画像と、前記入店者蓄積手段に蓄積された入店者の顔画像とを照合させるようにすることができる。
【００２４】
前記未退店者として判定された入店者の顔画像を居残り者の顔画像として蓄積する居残り者蓄積手段（例えば、図１０の居残りDB管理部２１９）をさらに含ませるようにすることができる。
【００２５】
前記照合手段（例えば、図１０の退店者計算部２３２ｂ）には、さらに、前記入店者の顔画像と、前記居残り者蓄積手段に蓄積された居残り者の顔画像との類似度を計算して、照合させるようにすることができ、前記類似度判定手段（例えば、図１０の退店者判定部２３３ｂ）には、さらに、前記照合手段の照合結果である類似度と所定の閾値との比較により、前記入店者の顔画像が居残り者の顔画像であるか否かを判定させるようにすることができ、前記入店者が前記居残り者であると判定された場合、前記居残り者が入店者であることを通知する居残り者入店通知手段（例えば、図１０の通信部２１３）をさらに含ませるようにすることができる。
【００２６】
本発明の一側面の監視方法は、入店者の顔画像を蓄積する入店者蓄積ステップ（例えば、図１４のステップＳ３１）と、退店者の顔画像と、前記入店者蓄積手段に蓄積された入店者の顔画像との類似度を計算し、照合する照合ステップ（例えば、図１４のステップＳ３２）と、前記照合ステップの処理での照合結果である類似度と所定の閾値との比較により、前記退店者の顔画像が前記入店者の顔画像であるか否かを判定する類似度判定ステップ（例えば、図１４のステップＳ３３）と、前記類似度判定ステップの処理により前記退店者が前記入店者であると判定された場合、前記入店者蓄積ステップの処理で蓄積された入店者の顔画像に対応付けて退店者を登録する登録ステップ（例えば、図１４のステップＳ３５）と、閉店が指示された時刻において、前記蓄積手段に入店者の顔画像のみが蓄積されている顔画像を未退店者として通知する未退店者通知ステップ（例えば、図１７のステップＳ９８）とを含む。
【００２７】
図１は、本発明に係る遊技店の閉店後に退店することなく店内に存在する未退店者、および、過去に未退店者として判定された居残り者の来店を監視する監視システムの一実施の形態の構成を示す図である。
【００２８】
遊技店１−１乃至１−ｎは、いわゆるパチンコ店、パチスロ店、または、カジノ店である。また、これらの遊技店１−１乃至１−ｎは、系列店舗または生体情報管理センタや第３者遊技店管理センタの加盟店であって、複数の店舗を統括的に管理する必要のある店舗である。各遊技店１−１乃至１−ｎは、生体情報管理バス６および第３者遊技店管理バス７により接続されており、それらのバスおよびインターネット等に代表される公衆通信回線網８，９を介して、相互にそれぞれ生体情報、および第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００２９】
生体情報管理バス６は、主に各遊技店１の生体情報認識装置２０により管理される生体情報を流通させるための伝送路として機能する。また、第３者遊技店管理バス７は、主に各遊技店１の媒体貸出管理装置２７により管理される媒体貸出管理情報を流通させるための伝送路として機能する。
【００３０】
警備情報管理センタ２は、警備情報管理センタを管理運営する事業者により使用されるサーバであり、警備情報管理データベース（以降、DBとも称するものとする）３で管理されている登録居残り者DB２５２（図１１）を各遊技店１により生成される未登録居残り者DB２５１（図１１）に基づいて更新すると供に、更新した最新の登録居残り者DB２５２を各遊技店１の生体情報認識装置２０に対して配信する。
【００３１】
第３者遊技店管理センタ４は、第３者遊技店管理センタを管理運営する事業者により使用されるサーバであり、第３者遊技店管理データベース（DB）５で管理されている媒体貸出管理情報からなるDBを各遊技店１より供給されてくる情報に基づいて更新すると供に、更新した最新の媒体貸出管理情報を各遊技店１の媒体貸出管理装置２７に対して配信する。
【００３２】
警備保障会社サーバ１０は、警備保障会社を管理運営する事業者により使用されるサーバであり、各遊技店１の生体情報認識装置２０からの未退店者または居残り者が存在することを示す通知を受信すると、その通知をCRTまたはLCDからなる表示部１１に表示すると共に、通知に基づいて警備保障会社の警備員を手配させる。操作部１２は、キーボードやボタンなどから構成されており、未退店者または居残り者が手配した警備員により確保される、または電話などで誤報であることが通知されるなどして、必要に応じて、遊技店１の自動閉店処理を許可するとき、操作される。
【００３３】
生体情報認識装置２０は、カメラ３８−１乃至３８−ｍ、入口カメラ４０−１乃至４０−ｐ、および店内カメラ４１−１乃至４１−ｑにより撮像された画像より画像処理ユニット３９−１乃至３９−（ｍ＋ｐ＋ｑ）により抽出されて、生体情報バス３１を介して供給されてくる顔画像の情報に基づいて、入退店者情報データベース２１に登録されている顔画像と照合し、入店時の顔画像および退店時の顔画像をそれぞれ登録すると共に、居残りDB２２に登録されている顔画像と照合し、一致する場合、居残り者として登録された登録遊技者の来店を携帯端末１７に通知したり、CRT（Cathode Ray Tube）またはLCD（Liquid Crystal Display）などからなる表示部２３に表示する。
【００３４】
また、生体情報認識装置２０は、入退店者情報データベース２１に登録されている入店者および退店者の顔画像の情報に基づいて、入店者の顔画像はあるが、退店者の顔画像がない、すなわち、未退店者の顔画像を検出する。さらに、生体情報認識装置２０は、未退店者として検出した顔画像を、居残りDB２２に登録すると供に、警備情報管理データベース３にアクセスし、未登録居残り者として未登録居残り者DB２５１に登録する。
【００３５】
さらに、生体情報認識装置２０は、遊技店１の出入口１１２（図８）の施錠状態を検出する扉ロックセンサ１８−１乃至１８−ｔからの信号に基づいて、施錠が完了した場合、遊技店１が閉店されたものとみなし、このときに未退店者が存在すると判定するとき、人間を検知する人検知センサ１９−１乃至１９−ｓを制御して、遊技店１内における未退店者の存在する位置を検知する。
【００３６】
遊技店管理装置２４は、いわゆるホールコンピュータと呼ばれるものであり、遊技店管理情報バス３０を介して遊技台３６−１乃至３６−ｍの動作を監視している。遊技店管理装置２４は、遊技台３６の出玉もしくはメダルの払い出しの情報、各遊技台３６−１乃至３６−ｍの遊技者の呼び出し情報、またはエラーの発生などの監視状況に応じて、所定の処理を実行し、実行結果をCRTやLCDなどからなる表示部２５に表示する。遊技店管理装置２４は、精算販売機３３、貸出機３４、計数機３５、遊技台３６−１乃至３６−ｍ、および遊技台周辺端末３７−１乃至３７−ｍのそれぞれより供給されてくる情報を、それぞれを識別する識別情報（例えば、遊技台番号）とを対応付けて遊技台管理データベース２６により管理する。
【００３７】
媒体貸出管理装置２７は、精算販売機３３、貸出機３４、および計数機３５からの情報に基づいて、貸し出される遊技媒体の媒体貸出管理情報を媒体貸出管理データベース２９を用いて管理すると供に、媒体貸出管理データベース２９に登録されている媒体貸出管理情報を更新する際、その更新情報を、第３者遊技店管理バス７および公衆通信回線網９を介して第３者遊技店管理センタ４に送る。さらに、媒体貸出管理装置２７は、第３者遊技店管理バス７および公衆通信回線網９を介して第３者遊技店管理センタ４により供給されてくる媒体貸出管理情報を取得し、媒体貸出管理データベース２９に蓄積させる。
【００３８】
貸出機３４は、遊技者が遊技台３６で遊技する際、現金やプリペイドカードなどにより所定の金額を受け付けると、金額に応じた個数の遊技媒体を貸し出す。この際、貸出機３４は、受け付けた現金やプリペイドカードの残数などの情報と供に、貸し出した遊技媒体の個数の情報を媒体貸出管理装置２７に供給する。これにより、媒体貸出管理装置２７は、受け付けた現金やプリペイドカードの残数などの情報と供に、貸し出した遊技媒体の個数の情報を媒体貸出管理情報データベース２９に登録する。
【００３９】
精算販売機３３は、貸球を借りるための度数をつけてプリペイドカードを販売する。このとき、精算販売機３３は、販売したプリペイドカードの度数と払いうけた金額とを媒体貸出管理装置２７に供給する。また、精算販売機３３は、プリペイドカードなどの度数として貸し出した遊技媒体の残数に基づいて現金を精算して払い出す。このとき、精算販売機３３は、プリペイドカードの残数と払い戻した現金の金額を媒体貸出管理装置２７に供給する。
【００４０】
計数機３５は、遊技者が遊技台３６により遊技することにより獲得した遊技媒体の数を、計数し、計数結果を磁気カードやレシートなどとして出力する。
【００４１】
遊技台３６−１乃至３６−ｍは、遊技者により所定の操作がなされることにより、遊技を実行し、いわゆる小当たりや大当たりに応じて、遊技球、または、メダルを払い出す。
【００４２】
遊技台周辺端末３７−１乃至３７−ｍは、各遊技台３６−１乃至３６−ｍに対応して設けられている、いわゆる台間機である。また、遊技台周辺端末３７は、遊技台３６を遊技する遊技者の顔画像などの生体情報を取得し、遊技台識別情報（遊技台番号）と共に生体情報認識装置２０に送信する。尚、図１においては、生体情報を取得する機能として、遊技者の顔画像を取得するカメラ３８−１乃至３８−ｍが設けられている例が示されている。
【００４３】
カメラ３８−１乃至３８−ｍは、例えば、図２で示されるように、各遊技台３６−１乃至３６−４のそれぞれの上部に設けられた台表示ランプ６１−１乃至６１−４の下部に図３で示されるように、読取範囲δ内に遊技者が撮像できるように設け、顔画像を撮像するようにしてもよく、このようにすることにより、各カメラIDは、同時に遊技台IDとして使用することが可能となる。
【００４４】
また、カメラ３８−１乃至３８−ｍは、例えば、図４で示されるように、遊技台周辺端末３７−１乃至３７−４に凸部７１−１乃至７１−４を設け、図５で示されるように読取範囲θ内に遊技者の顔画像が撮像できるように設けるようにしてもよい。
【００４５】
さらに、カメラ３８−１乃至３８−ｍは、例えば、図６で示されるように、遊技台３６の中央部（遊技台３６の盤面上）に設けるようにして、撮像するようにしてもよい。すなわち、図６の設置部８１にカメラ３６が設置されることにより、図７で示されるように、読取範囲φ内に遊技者を撮像する。
【００４６】
入口カメラ４０−１乃至４０−ｐおよび店内カメラ４１−１乃至４１−ｑは、遊技店１の店内における出入口および所定の場所に設置され、撮像した画像をそれぞれ画像処理ユニット３９−（ｍ＋１）乃至３９−（ｍ＋ｐ＋ｑ）に供給する。
【００４７】
入口カメラ４０−１乃至４０−ｐおよび店内カメラ４１−１乃至４１−ｑ、人検知センサ１９−１乃至１９−ｓ、並びに、扉ロックセンサ１８−１乃至１８−ｔは、例えば、図８で示されるように設定される。図８は、遊技店１内の入口カメラ４０−１乃至４０−ｐおよび店内カメラ４１−１乃至４１−ｑ、人検知センサ１９−１乃至１９−ｓ、並びに、扉ロックセンサ１８−１乃至１８−ｔの設置例を示している。
【００４８】
すなわち、図８においては、遊技店１に来店する遊技者が入退店する出入口１１２−１乃至１１２−３が設けられており、入口カメラ４０−１乃至４０−６は、それぞれの出入口１１２より入店してくる遊技者（入店者）および退店する遊技者（退店者）を撮像する。さらに、遊技店１の従業員のみが使用する従業員通用口１１３も出入口１１２とは別に設けられている。
【００４９】
より詳細には、図８の例においては、撮像方向が店外方向に向けられている入口カメラ４０−１，４０−３，４０−５が入店者を撮像し、撮像方向が店内方向に向けられている入口カメラ４０−２，４０−４，４０−６が退店者を撮像する。すなわち、入口カメラ４０は、各出入口１１２について、入店する方向および退店する方向に対してそれぞれ設けられており、いずれかの出入口１１２にて入店して、退店すれば、入店時の顔画像および退店時の顔画像がそれぞれ撮像されることになる。
【００５０】
また、店内カメラ４１−１乃至４１−１０は、島設備１１１−１乃至１１１−５のそれぞれ両面をそれぞれ一列に渡って撮像できる位置に設定されている。島設備１１１は、両面に遊技台３６が設置されており、すなわち、図中の島設備１１１を上下方向に挟むように設置されている。カメラ３８、入口カメラ４０および店内カメラ４１は、いずれにおいてもパンチルトズーム機能を備えているため、図８で示されるように、店内カメラ４１−１乃至４１−１０が配置されることにより、遊技台３６で遊技する全遊技者が、店内カメラ４１−１乃至４１−１０のいずれかで撮像できる。
【００５１】
さらに、店内カメラ４１−ａは、貸出機３４の前に設けられており、店内カメラ４１−ｂは、精算販売機３３の前に設けられており、店内カメラ４１−ｃは、計数機３５の前に設けられており、それぞれ、貸出機３４、精算販売機３３、および計数機３５を利用する遊技者を撮像することができる。
【００５２】
すなわち、図８で示されるように、遊技店１においては、来店する遊技者、遊技台３６で遊技する遊技者、並びに、貸出機３４、精算販売機３３、および計数機３５を利用する遊技者といった、遊技店１において遊技者が取るであろうことが想定される行動のほぼ全てを監視できるように、カメラ３８、入口カメラ４０、および店内カメラ４１が設置されている。
【００５３】
また、各出入口１１２−１乃至１１２−３には、扉ロックセンサ１８−１乃至１８−３が設けられている。扉ロックセンサ１８−１乃至１８−３は、出入口１１２−１乃至１１２−３の施錠設備に連動しているセンサであり、施錠状態に入ると、施錠状態であることを示す信号を生体情報認識装置２０に供給する。また、店内には、カメラ３８，４０，４１などでは撮像できないが、人物の存在を検知するため、人検知センサ１９−１乃至１９−３が設けられており、図８においては、トイレおよび倉庫内に設けられている。人検知センサ１９は、人間が接近すると、その存在を検知し、その旨を通知する信号を生体情報認識装置２０に供給する。
【００５４】
次に、図９を参照して、画像処理ユニット３９の構成例について説明する。
【００５５】
画像取得部２０１は、カメラ３８（または、入口カメラ４０もしくは店内カメラ４１）により撮像された画像を取得し、顔画像抽出部２０２に供給する。顔画像抽出部２０２は、画像取得部２０１より供給されてきた画像内に、顔を構成する部位の配置などのパターンにより顔画像からなる矩形画像を抽出して送信部２０３に供給する。送信部２０３は、顔画像を生体情報認識装置２０に送信する。
【００５６】
次に、図１０を参照して、生体情報認識装置２０の構成例について説明する。
【００５７】
顔画像取得部２１１は、画像処理ユニット３９より供給される顔画像を取得し、照合部２１２に供給する。照合部２１２は、顔画像取得部２１１により取得された顔画像と、居残りDB２２に登録されている居残り者の顔画像とを照合し、類似度の高い候補となる顔画像があれば、第３候補までの顔画像を照合結果として表示部２３に表示させる。
【００５８】
また、照合部２１２は、居残り者DB２２に登録されている顔画像と、類似度の高い候補となる顔画像が存在しない場合、供給されてきた顔画像と、入退店者情報DB２１に登録されている入店者として登録されている遊技者の顔画像とを照合し、類似度の高い候補となる顔画像があれば、第３候補までの顔画像を照合結果として表示部２３に表示させる。入退店者情報DB２１に登録されている顔画像と類似度の高い候補となる顔画像が存在しない場合、照合部２１２は、供給された顔画像を入退店管理部２１７に供給し、入店者として入退店者情報DB２１に登録させると供に、入退店者情報DB２１に登録されている顔画像と類似度の高い候補となる顔画像が存在する場合、類似度の高い入店者の顔画像に対応付けて、退店者として入退店者情報DB２１に登録させる。
【００５９】
より詳細には、照合部２１２の特徴量抽出部２３１は、顔画像を識別するための特徴量を抽出して、顔画像と共に類似度計算部２３２に供給する。類似度計算部２３２は、入退店者情報DB２１または居残りDB２２に登録されている登録遊技者の顔画像の特徴量を抽出すると供に、特徴量抽出部２３１より供給されてくる特徴量とを用いて、居残りDB２２に登録されている全ての登録遊技者の顔画像との類似度を求め、顔画像取得部２１１より供給されてきた顔画像、および、類似度が上位３位までの顔画像を類似度判定部２３３に供給する。より具体的には、類似度計算部２３２の居残り者計算部２３２ａまたは退店者計算部２３２ｂは、例えば、目と目の間隔、あごから額までの長さと、あごから鼻までの長さの比率などの各種の顔の特徴量に基づいて、それぞれの差分和、平均比率、または比率和などを供給されてきた顔画像と、入退店者情報DB２１の入店者として登録されている顔画像または居残りDB２２に登録された顔画像との類似度として求める。
【００６０】
類似度判定部２３３の居残り判定部２３３ａは、類似度計算部２３２の居残り者計算部２３２ａより供給されてくる居残りDB２２に登録された居残り者との類似度が上位３位となる顔画像のそれぞれの類似度のうち、１位となる顔画像との類似度と、所定の閾値とを比較し、比較結果に基づいて、１位となる居残り者の顔画像が、顔画像取得部２１１より供給されてきた顔画像に対して類似している場合（類似度が高い程類似していることを示す類似度の場合、所定の閾値よりも高いとき、また、類似度が低い程類似していることを示す類似度の場合、所定の閾値よりも低いとき）、上位３位となる顔画像と類似度の情報を表示部２３に供給して、表示させると供に、通信部２１４に供給する。尚、ここでいう、居残り者とは、過去に閉店時刻を経過した後に退店していない未退店者として、所定回数以上検出された遊技者を示す。
【００６１】
類似度判定部２３３の退店者判定部２３３ｂは、類似度計算部２３２の退店者計算部２３２ｂより供給されてくる入退店者情報DB２１の入店者との類似度が上位３位となる顔画像のそれぞれの類似度のうち、１位となる顔画像との類似度と、所定の閾値とを比較し、比較結果に基づいて、１位となる登録顔画像が、顔画像取得部２１１より供給されてきた顔画像に対して類似していない場合（類似度が高い程類似していることを示す類似度の場合、所定の閾値よりも低いとき、また、類似度が低い程類似していることを示す類似度の場合、所定の閾値よりも高いとき）、その顔画像を入退店管理部２１７に供給して、入店登録部２１７ａにより入退店者情報DB２１に入店者の顔画像として登録させる。さらに、供給されてきた顔画像に対して類似している場合（類似度が高い程類似していることを示す類似度の場合、所定の閾値よりも高いとき、また、類似度が低い程類似していることを示す類似度の場合、所定の閾値よりも低いとき）、退店者判定部２３３ｂは、その顔画像を入退店管理部２１７に供給して、退店登録部２１７ｂにより入退店者情報DB２１に入店者の顔画像に対応付けて退店者の顔画像として登録させる。
【００６２】
居残りDB管理部２１９は、閉店時刻経過後のタイミングで、検索部２１８により入退店者情報DB２１に登録されている入店者の顔画像と退店者の顔画像とを比較し、入店者の顔画像のみが登録されている顔画像の人物が未退店者としてみなし、入店者のみが登録された顔画像を店内登録部２１９ａを制御して、居残りDB２２に登録させると供に、センタ登録部２１９ｂを制御して、警備情報管理データベース３の未登録居残り者DB２５１に登録させる。
【００６３】
操作部２１５は、ボタン、マウス、または、キーボードなどから構成され、上述した類似度が上位３位となる、表示部２３に表示された顔画像のいずれかが選択されるとき操作され、操作結果を通信部２１４に供給する。通信部２１４は、モデムなどから構成され、操作部２１５からの操作信号に基づいて、選択された顔画像を携帯端末１７に配信する。また、操作部２１５は、閉店処理を指示するとき、出入口１１２（図８）の施錠を指示すると共に、その旨を検索部２１８および扉ロックセンサ検知部２２０に通知する。この通知に基づいて、扉ロックセンサ検知部２２０は、各扉ロックセンサ１８からの検知結果を検索部２１８に供給する。検索部２１８は、扉ロックセンサ検知部２２０からの検知結果に基づいて、扉が施錠されていることを認識することにより、閉店を認識する。検索部２１８は、閉店を認識すると、入退店者情報DB２１にアクセスし、入店者顔画像と退店者顔画像とを検索し、入店者顔画像のみが登録されている顔画像を未退店者として検索する。検索部２１８は、未退店者を検索した場合、検索結果を居残りDB管理部２１９に供給すると共に、通信部２１３に供給する。
【００６４】
通信部２１３は、未退店者の存在と共に、人検知センサ管理部２２１により検知された各人検知センサ１９からの検知結果を警備保障会社サーバ１０に送信する。また、通信部２１３は、警備保障会社サーバ１０より自動閉店処理許可の通知を受信すると、自動閉店指示部２２２に供給し、遊技店管理装置２４に対して自動閉店処理を促す。
【００６５】
尚、ここでは、類似度は、例えば、比率和で示されるようなものであり、居残り者または入店者として登録されている顔画像に近いほど高い値を示すものであるとし、類似度が所定の閾値よりも高い値であるとき、その類似度に対応する居残り者または入店者の顔画像であるものとして判定する例について説明する。しかしながら、例えば、類似度が撮像された顔画像と登録された居残り者または入店者の顔画像とのそれぞれの特徴量における差分和として表現されている場合、類似度判定部２３３の居残り判定部２２３ａおよび退店者判定部２２３ｂは、類似度が閾値よりも小さければ、撮像された顔画像が居残り者または入店者の顔画像であるとみなすことになり、または、平均比率などの場合、０乃至１の範囲で所定の値以上であって、１に近い値であれば、同一の人物であるとみなすことができる。
【００６６】
データベース管理部２１６は、警備情報管理センタ２より新たな登録居残り者データベース２５２（図１１）が配信されてくると、新たな登録居残り者データベース２５２に基づいて、居残りDB２２を更新する。
【００６７】
自動閉店指示部２２２は、未退店者が存在しない場合、または検索部２１８より、未退店者が存在した場合であって、その後、通信部２１３を介して、警備保障会社サーバ１０より自動閉店処理の許可が通知されてくるとき、自動閉店処理を実行するように、遊技店管理装置２４に指示を送信する。
【００６８】
次に、図１１を参照して、警備情報管理センタ２の構成例について説明する。
【００６９】
警備情報管理センタ２は、DB配信部２４１、DB更新部２４２、およびDB更新判定部２４３から構成されており、警備情報管理DB３に格納されている登録居残り者DB２５２を、未登録居残り者DB２５１に基づいて、更新する。より具体的には、DB更新判定部２４３は、時刻情報を発生するRTC（Real Time Clock）２４３ａを内蔵しており、その内蔵されているRTC２４３ａに基づいて、所定時間が経過すると、警備情報管理DB３にアクセスし、未登録居残り者DB２５１に新たな未登録居残り者が登録されたか否かを判定する。
【００７０】
DB更新判定部２４３は、未登録居残り者DB２５１に新たに未登録居残り者が登録されていた場合、その旨をDB更新部２４２に通知する。DB更新部２４２は、未登録居残り者DB２５１にアクセスし、登録されている未登録居残り者のうち、所定回数以上登録されている未登録居残り者が存在するか否かを判定し、所定回数以上未登録居残り者として登録されている未登録居残り者が存在する場合、登録居残り者DB２５２を読み出して、所定回数以上登録されている未登録居残り者を登録居残り者DB２５２に登録して、更新する。さらに、DB更新部２４２は、登録居残り者DB２５２を更新すると、更新したことをDB配信部２４１に通知する。
【００７１】
DB配信部２４１は、DB更新部２４２より登録居残り者DB２５２が更新されたことを通知されると、警備情報管理DB３にアクセスし、登録居残り者DB２５２を読み出して、各遊技店１の生体情報認識装置２０に配信する。
【００７２】
次に、図１２を参照して、携帯端末１７の構成例について説明する。
【００７３】
通信部２７１は、モデムなどで構成されており、遊技店１内の無線通信網を介して生体情報認識装置２０との間でデータを授受する。また、通信部２７１は、生体情報認識装置２０より配信されてくる、画像処理ユニット３９より供給された顔画像と類似する顔画像の遊技者が来店したことを示す情報を取得し、画像処理部２７２に供給する。
【００７４】
画像処理部２７２は、通信部２７１より供給されてくる画像処理ユニット３９より供給された顔画像と類似する顔画像の居残り者または入店者が来店したことを示す情報に基づいて、LCDなどにより構成される表示部２７３に表示する画像を生成すると供に、表示部２７３に表示させる。
【００７５】
次に、図１３を参照して、遊技店管理装置２４の構成例について説明する。
【００７６】
制御部２８１は、CPU、ROM、およびRAMからなる、いわゆるコンピュータから構成されており、遊技店管理装置２４の動作の全体を制御している。
【００７７】
制御部２８１は、通信部２８２を制御して、生体情報管理装置２０より自動閉店処理が指示されると、遊技台起動停止管理部２８５を制御して、遊技台３６の電源を停止させる。また、制御部２８１は、閉店処理が指示されると、媒体貸出指示部２８３を制御して、媒体貸出管理装置２７より当日の売上情報を取得して、収支計算部２８１ａを制御して当日の収支計算を実行して、収支結果レポートを表示部２５に表示すると共に、媒体貸出指示部２８３を制御して、遊技媒体管理装置２７に対して遊技台周辺端末３７での遊技媒体の貸し出しを禁止させる。そして、制御部２８１は、最終的に、電源制御部２８４を制御して、遊技店１内の遊技台３６を含む、遊技に関わる全ての装置の電源をシャットダウンする。
【００７８】
次に、図１４のフローチャートを参照して、来店監視処理について説明する。
【００７９】
ステップＳ１において、入口カメラ４０は、撮像している画像の情報、または、出入口の扉からの信号に基づいて、出入口の扉が開いたか否かを判定し、所定の時間が経過するまで、その処理を繰り返す。
【００８０】
ステップＳ１において、扉が開いたと判定された場合、ステップＳ２において、入口カメラ４０は、設置されている範囲の画像を撮像し、撮像した画像を画像処理ユニット３９に供給する。画像処理ユニット３９の画像取得部２０１は、供給された画像を取得し、顔画像抽出部２０２に供給する。
【００８１】
ステップＳ３において、顔画像抽出部２０２は、供給された画像より遊技者の顔画像を抽出し、送信部２０３に供給する。より具体的には、顔画像抽出部２０２は、例えば、撮像された画像の色などから肌が露出した部分であって、目や鼻といった特徴的な部位の配置などから顔画像を抽出して、送信部２０３に供給する。
【００８２】
ステップＳ４において、送信部２０３は、顔画像抽出部２０２より供給されてきた顔画像を生体情報認識装置２０に送信する。この際、送信部２０３は、カメラ３８、入口カメラ４０、または店内カメラ４１のそれぞれを識別するカメラIDや、送信時刻の情報などを顔画像に付加して生体情報認識装置２０に送信する。
【００８３】
ステップＳ２１において、生体情報認識装置２０の顔画像取得部２１１は、顔画像を取得する。ステップＳ２２において、顔画像取得部２１１は、供給された顔画像のうち、いずれか未処理の１つを抽出し、特徴量抽出部２３１に供給する。
【００８４】
ステップＳ２３において、照合部２１２の特徴量抽出部２３１は、供給されてきた顔画像より特徴量を抽出して、顔画像と供に類似度計算部２３２に供給する。
【００８５】
ステップＳ２４において、類似度計算部２３２の居残り者計算部２３２ａは、特徴量抽出部２３１より供給された顔画像についての、目と目の間隔、あごから額までの長さと、あごから鼻のまでの長さの比率などの各種の顔の特徴量と、居残りDB２２に登録されている登録居残り者DB２５２に登録されている顔画像における同様の特徴量とを用いて、それぞれの差分和、平均比率、または比率和などを類似度として計算し、計算結果である居残りDB２２に登録されている顔画像との類似度の順位を求め、居残りDB２２に登録されている顔画像のうちの上位３位までの顔画像と類似度の情報を、特徴量抽出部２３１より供給されてきた顔画像と供に類似度判定部２３３に供給する。
【００８６】
ステップＳ２５において、類似度判定部２３３の居残り判定部２３３ａは、類似度計算部２３２の居残り者計算部２３２ａより供給されてくる上位３位までの顔画像と類似度の情報に基づいて、最上位の類似度が所定の閾値よりも大きいか否かを判定する。すなわち、類似度判定部２３３の居残り判定部２３３ａは、最も類似している登録居残り者（居残りDB２２に登録されている顔画像のうち、顔画像取得部２１１により取得された顔画像と最も類似している登録遊技者：ここでは、類似度の最も高い登録遊技者）の類似度を所定の閾値と比較する。
【００８７】
尚、上述のように、類似度の定義により、撮像された顔画像と最も類似している登録遊技者の顔画像との類似度は、その値そのものが最も高いとは限らないため、類似度と閾値との大小関係はこの例の場合とは異なることがある。
【００８８】
ステップＳ２５において、最上位の類似度が所定の閾値よりも大きくないと判定された場合、すなわち、居残り者として登録された遊技者の顔画像ではないと判定された場合、ステップＳ３０において、退店者判定部２３３ｂは、供給された顔画像に付されているカメラIDに基づいて、供給されてきた顔画像が、退店時に撮像された顔画像であるか否かを判定する。すなわち、図８で示されるように出入口１１２には、それぞれ入店者を撮像する入口カメラ４０−１，４０―３，４０−５が設けられ、退店者を撮像する入口カメラ４０−２，４０―４，４０−６が設けられている。そこで、図８の場合、カメラIDに基づいて、退店者を撮像する入口カメラ４０−２，４０―４，４０−６を示すカメラIDが付された顔画像であるか否かが判定される。
【００８９】
ステップＳ３０において、供給された顔画像が退店時のものではないと判定された場合、ステップＳ３１において、退店者判定部２３３ｂは、顔画像を入退店管理部２１７に供給する。入退店管理部２１７は、入店登録部２１７ａを制御して、顔画像の情報を入店者として入退店者情報DB２１に登録する。
【００９０】
一方、ステップＳ３０において、退店時であると判定された場合、すなわち、図８の場合、入口カメラ４０−２，４０−４，４０−６により撮像された顔画像であると判定された場合、ステップＳ３２において、退店者判定部２３３ｂは、退店時の顔画像であることを類似度計算部２３２に通知する。これに応じて、退店者計算部２３２ｂは、特徴量抽出部２３１より供給された顔画像についての、目と目の間隔、あごから額までの長さと、あごから鼻のまでの長さの比率などの各種の顔の特徴量と、入退店者情報DB２１に入店者のみ登録されている顔画像の特徴量とを用いて、それぞれの差分和、平均比率、または比率和などを類似度として計算し、計算結果である入退店者情報DB２１に登録されている顔画像との類似度の順位を求め、入退店者情報DB２１に入店者としてのみ登録されている顔画像のうちの上位３位までの顔画像と類似度の情報を、特徴量抽出部２３１より供給されてきた顔画像と供に類似度判定部２３３に供給する。
【００９１】
ステップＳ３３において、類似度判定部２３３の退店者判定部２３３ｂは、類似度計算部２３２の退店者計算部２３２ｂより供給されてきた上位３位の顔画像が入店者の顔画像の候補であることを示す報知画面を表示部２３を制御して表示させる。
【００９２】
ステップＳ３４において、入退店管理部２１７は、操作部２１５が操作されて、候補となる顔画像の何れかが選択されたか否かを判定する。ステップＳ３４において、例えば、いずれかの顔画像が選択された場合、ステップＳ３５において、入退店管理部２１７は、退店登録部２１７ｂを制御して、選択された顔画像を、例えば、図１５で示されるように、入退店者情報DB２１に退店者として登録する。
【００９３】
図１５においては、左から顔登録No（顔登録番号）、入店者、および退店者が登録されている。登録番号は、１乃至２９８６が登録されており、いずれも入店者の顔画像が登録されている。一方、退店者については、顔登録番号２，２９８５については、退店者の顔画像が登録されておらず、顔登録番号２，２９８５の遊技者は、店内に存在していることが示されている。入店者の顔画像は、上述したステップＳ３１の処理により登録される。
【００９４】
一方、ステップＳ３４において、いずれも選択されなかった、すなわち、いずれの顔画像も入店者の顔画像として登録されている顔画像と同一であるとは認識できなかった場合、処理は、ステップＳ３１に進む。すなわち、新たな入店者として入口カメラ４０にて撮像できなかった顔画像であるものとみなして、ステップＳ３１において、入店者として顔画像が登録される。
【００９５】
ステップＳ３６において、顔画像取得部２１１は、供給された顔画像の全てについて処理を行なったか否かを判定し、未処理の顔画像がある場合、処理は、ステップＳ２２に戻る。すなわち、全ての顔画像について処理が行なわれるまで、ステップＳ２２乃至Ｓ３６の処理が繰り返される。そして、全ての顔画像について処理が終了したと判定された場合、処理は、ステップＳ２１に戻る。
【００９６】
さらに、ステップＳ２５において、類似度計算部２３２の居残り者計算部２３２ａより供給されてくる上位３位までの顔画像と類似度の情報に基づいて、最上位の類似度が所定の閾値よりも大きいと判定された場合、ステップＳ２６において、類似度判定部２３３の居残り判定部２３３ａは、類似度計算部２３２の居残り者計算部２３２ａより供給されてきた上位３位の顔画像が居残り者の顔画像の候補であることを示す報知画面を表示部２３を制御して表示させる。
【００９７】
このとき、例えば、図１４で示されるような報知画面３０１が、表示部２３に表示される。
【００９８】
図１６の報知画面３０１においては、カメラ画像表示欄３１１が、左中段に設けられており、画像処理ユニット３９より供給されてきた顔画像が表示される。また、その右側には、類似度の高い順に第１候補乃至第３候補までの類似度の上位３位の居残り者の顔画像表示欄３１２−１乃至３１２−３が設けられている。さらに、各居残り者の顔画像表示欄３１２−１乃至３１２−３の下には、類似度レベル表示欄３１３−１乃至３１３−３が設けられており、類似度のレベルが表示されている。図１６において、黒で示される領域の横方向の長さが類似度の大きさを示している。
【００９９】
また、類似度レベル表示欄３１３−１乃至３１３−３の下には、対応する位置に、ID表示欄３１４−１乃至３１４−３が設けられており、各顔画像の居残りDB２２における顔画像を識別するIDが表示されており、図１６において、左から「０００５１」、「０００１８」および「０００２２」と表示されている。
【０１００】
さらに、ID表示欄３１４−１乃至３１４−３の下には、それぞれ対応する位置に、それぞれの候補を選択されるときに操作部２１５により操作される確定ボタン３１８−１乃至３１８−３が設けられている。
【０１０１】
また、カメラ画像表示欄３１１の下には、その顔画像を撮像したカメラを識別するカメラID表示欄３１５が設けられており、図１６においては、カメラ３８、入口カメラ４０、および店内カメラ４１を識別するためのカメラIDとして「カメラ０２」が表示されている。さらに、カメラID表示欄３１５の下には、時刻表示欄３１６が設けられており、入口カメラ４０により撮像された時刻が表示されており、図１６においては、「１８：２３：３２」と表示されており、カメラ画像表示欄３１１の顔画像が１８時２３分３２秒に撮像されていることが示されている。
【０１０２】
さらに、時刻表示欄３１６の下には、別人ボタン３１７が設けられており、カメラ画像の顔画像が、第１候補乃至第３候補となる登録遊技者の顔画像表示欄３１２−１乃至３１２−３のいずれにも似ていないとみなされたとき、操作部２１５により操作される。
【０１０３】
ステップＳ２７において、通信部２１４は、操作部２１５が操作されて、候補となる顔画像の何れかが選択されたか否か、すなわち、例えば、図１６で示される報知画面３０１が表示部２３に表示されていた場合、確定ボタン３１８−１乃至３１８−３のいずれかが操作部２１５により操作されたか否かを判定する。
【０１０４】
ステップＳ２７において、例えば、確定ボタン３１８−１が操作された場合、居残り者の第１候補となる顔画像が選択されたとみなされ、ステップＳ２８において、通信部２１４は、選択された第１候補となる顔画像および入口カメラ４０により撮像されたカメラ画像を携帯端末１７および警備保障会社サーバ１０に送信し、該当する居残り者が来店したことを通知する。
【０１０５】
ステップＳ５１において、携帯端末１７の通信部２７１は、居残り者の来店が通知されてきたか否かを判定し、通知されてくるまで、その処理を繰り返す。例えば、ステップＳ５１において、ステップＳ２８の処理により、居残り者の来店が通知されてきた場合、ステップＳ５２において、通信部２７１は、生体情報認識装置２０より送信されてきた登録遊技者の来店の通知を受信すると供に、その通知に併せて送信されてくる居残り者の顔画像および入口カメラ４０により撮像されたカメラ画像を画像処理部２７２に供給する。画像処理部２７２は、選択された顔画像および入口カメラ４０により撮像されたカメラ画像の情報を、表示部２７３に表示可能な形式の情報に加工して、ステップＳ５３において、表示部２７３に表示させる。
【０１０６】
また、ステップＳ７１において、警備保障会社サーバ１０の図示せぬ通信部は、居残り者の来店が通知されてきたか否かを判定し、通知されてくるまで、その処理を繰り返す。例えば、ステップＳ７１において、ステップＳ２８の処理により、居残り者の来店が通知されてきた場合、ステップＳ７２において、警備保障会社サーバ１０は、通信部を制御して、生体情報認識装置２０より送信されてきた居残り者の来店の通知を受信すると供に、居残り者が来店したことを示す情報を表示する表示画面を生成し、ステップＳ７３において、その表示画面を表示部１１に表示する。
【０１０７】
ステップＳ７４において、警備保障会社サーバ１０は、表示部１１に居残り者が来店した遊技店１に対して、警備員を手配するように要求する画面を表示させ、処理は、ステップＳ７１に戻る。
【０１０８】
以上の処理により、遊技店１内の係員は、携帯端末１７を所持していると、居残り者の来店を認識することが可能となる。さらに、警備保障会社サーバ１０においては、居残りDB２２に登録されている遊技者が来店したことを速やかに認識し、迅速に警備員を手配することが可能となる。
【０１０９】
また、ステップＳ２９において、顔画像取得部２１１は、供給された顔画像の全てについて処理を行なったか否かを判定し、未処理の顔画像がある場合、処理は、ステップＳ２２に戻る。すなわち、全ての顔画像について処理が行なわれるまで、ステップＳ２２乃至Ｓ２９の処理が繰り返される。そして、全ての顔画像について処理が終了したと判定された場合、処理は、ステップＳ２１に戻る。
【０１１０】
一方、ステップＳ２７において、いずれの候補となる顔画像も選択されず、例えば、図１６の報知画面３０１における別人ボタン３１７が押下された場合、または、ステップＳ２５において、類似度計算部２３２より供給されてくる上位３位までの顔画像と類似度の情報に基づいて、最上位の類似度が所定の閾値よりも大きくない場合、すなわち、最も類似している居残り者の顔画像であっても類似度が、所定の閾値未満である場合、処理は、ステップＳ３０に進む。すなわち、居残り者は検出されなかったものとみなされる。
【０１１１】
また、以上の処理により、生体情報認識装置２０により画像処理ユニット３９より供給されてきた顔画像が、居残りDB２２に登録されていれば、居残り者、すなわち、過去に所定回数以上、閉店時刻以降に遊技店１内に存在していた未退店者とみなされた経験がある居残り者として登録された遊技者が来店したことが報告される。また、居残りDB２２に登録されていないとみなされると、入店者であれば、入退店者情報DB２１に入店者として登録され、退店者であれば入店者の顔画像と照合されて、一致する入店者の顔画像に対応付けて、退店者として登録されることになる。
【０１１２】
次に、図１７のフローチャートを参照して、閉店支援処理について説明する。
【０１１３】
ステップＳ９１において、検索部２１８は、扉ロックセンサ検知部２２０を制御して、全ての扉ロックセンサ１８が施錠状態を示しているか否かを検出させ、全ての扉ロックセンサ１８が施錠状態を示していると判定されるまで、その処理を繰り返す。
【０１１４】
ステップＳ９１において、閉店時刻が過ぎて、係員による一連の閉店操作がなされ、出入口１１２の全ての鍵が施錠され、全ての扉ロックセンサ１８が施錠状態を認識していると判定された場合、ステップＳ９２において、検索部２１８は、入退店者情報DB２１にアクセスし、入退店者情報DB２１に登録されている入店者および退店者の情報を読み出して参照する。
【０１１５】
ステップＳ９３において、入退店者情報DB２１より読み出した情報に基づいて、検索部２１８は、未退店者が存在するか否かを判定する。より詳細には、検索部２１８は、入退店者情報DB２１より読み出した入店者および退店者の情報のうち、入店者としての顔画像が登録されているが、退店者の顔画像が登録されていない顔画像が存在するか否かを判定する。ステップＳ９３において、例えば、図１５の入退店者情報DB２１の場合、顔登録番号２および２９８５の顔画像の遊技者が未退店者として抽出されることになるので、未退店者が存在すると判定され、その処理は、ステップＳ９４に進む。
【０１１６】
ステップＳ９４において、検索部２１８は、抽出された未退店者の顔画像を表示部２３に表示させ、今現在未退店者が存在することを、例えば、図１８で示されるような報知画面により表示する。図１８においては、最上段に「未退店者表示」と表示され、その下に、「扉ロックを検出しましたが、未退店者がいます」と表示されており、さらにその下には、未退店者の顔画像が表示されており、未退店者の顔画像の表示画面であることが示されている。さらに、その下には、「居残りDBへの登録を実施し、＊＊警備会社への連絡を致します。」と表示され、以降に説明する居残りDB２２への登録、および、警備保障会社サーバ１０への通知がなされることが提示される。
【０１１７】
ステップＳ９５において、検索部２１８は、未退店者の情報を居残りDB管理部２１９に供給する。居残りDB管理部２１９は、店内登録部２１９ａを制御して、未退店者の情報を居残り者として居残りDB２２に登録させる。
【０１１８】
ステップＳ９６において、居残りDB管理部２１９は、センタ登録部２１９ｂを制御して、警備情報管理センタ２より管理運営される警備情報管理DB３の未登録居残り者DB２５１に登録する。
【０１１９】
ステップＳ９７において、検索部２１８は、抽出された未退店者の顔画像の情報を通信部２１３に供給する。通信部２１３は、未退店者の情報に基づいて、人検知センサ管理部２２１を制御して、人検知センサ１９からの人検知の有無の情報を収集する。
【０１２０】
ステップＳ９８において、通信部２１３は、人検知センサ管理部２２１より供給される人検知センサ１９からの検知結果、および、未退店者として検知された顔画像の情報を携帯端末１７および警備保障会社１０に送信する。
【０１２１】
ステップＳ１１１において、携帯端末１７の通信部２７１は、未退店者の発生が通知されてきたか否かを判定し、通知されてくるまで、その処理を繰り返す。例えば、ステップＳ１１１において、ステップＳ９８の処理により、未退店者の発生が通知されてきた場合、ステップＳ１１２において、通信部２７１は、生体情報認識装置２０より送信されてきた未退店者の来店の通知を受信すると供に、その通知に併せて送信されてくる未退店者の顔画像および入口カメラ４０により撮像されたカメラ画像を画像処理部２７２に供給する。画像処理部２７２は、選択された顔画像および入口カメラ４０により撮像されたカメラ画像の情報を、表示部２７３に表示可能な形式の情報に加工して、ステップＳ１１３において、表示部２７３に、例えば、図１８および図１９で示されるような表示画面として表示させる。
【０１２２】
図１９の表示画面においては、最上段に「北西トイレに人を検知しました。」と表示されており、その下に、人検知センサ１９の検知情報に基づいて、未退店者が存在すると推測される位置を示す画面が表示されている。図１９においては、位置を表示する画面は、図８の表示に準じて生成されており、人検知センサ１８−３（図８）により人が検知されており、その位置で、いずれかの人物の存在を検知したことを示している。
【０１２３】
また、ステップＳ１３１において、警備保障会社サーバ１０の図示せぬ通信部は、未退店者の発生が通知されてきたか否かを判定し、通知されてくるまで、その処理を繰り返す。例えば、ステップＳ１３１において、ステップＳ９８の処理により、未退店者の来店が通知されてきた場合、ステップＳ１３２において、警備保障会社サーバ１０は、通信部を制御して、生体情報認識装置２０より送信されてきた未退店者の発生の通知を受信すると供に、未退店者が発生したことを示す情報を、例えば、図１８，図１９で示されるような画面を表示部１１に表示する。
【０１２４】
ステップＳ１３３において、警備保障会社サーバ１０は、操作部１２が操作されて、自動閉店が許可されたか否かを判定し、許可されたと判定されるまで、その処理を繰り返す。すなわち、ステップＳ１３２の処理により、例えば、警備員が該当する遊技店１に派遣され、未退店者に対して所定の処理がなされるなどした結果、閉店に支障がないと判断されるような場合、または、誤報などであることが明らかであったような場合、警備保障会社の係員により操作部１２が操作されて、自動閉店が許可される。
【０１２５】
ステップＳ１３３において、例えば、自動閉店を許可するように操作部１２が操作されたと判定された場合、ステップＳ１３４において、警備保障会社サーバ１０は、図示せぬ通信部を制御して、自動閉店許可を該当する遊技店１の生体情報認識装置２０に送信する。
【０１２６】
ステップＳ９９において、自動閉店指示部２２２は、通信部２１３を制御して、警備保障会社サーバ１０より自動閉店許可が通知されたか否かを判定し、例えば、ステップＳ１３４の処理により自動閉店許可が指示されると、自動閉店指示部２２２は、遊技店管理装置２４に対して自動閉店処理を指示し、例えば、図２０で示されるような画面を表示する。
【０１２７】
図２０においては、最上段に「閉店自動処理開始」と表示され、閉店自動処理が開始されたことが示される。また、その下には、「遊技扉がすべてロックされました。未退店者がいない為閉店します。」と表示されており、出入口１１２の扉が全て施錠されて、未退店者が存在しないことを理由として、閉店自動処理が開始されていることが示されている。最下段には、完了ステータスバーが示されており、自動閉店処理の進行状況が示される。
【０１２８】
ステップＳ１４１において、制御部２８１は、通信部２８２を制御して、自動閉店処理の指示を受け付けたか否かを判定し、受け付けたと判定されるまで、その処理を繰り返す。ステップＳ１４１において、例えば、ステップＳ９９の処理により、自動閉店処理が指示されると、ステップＳ１４２において、制御部２８１は、遊技台起動停止管理部２８５を制御して、遊技台３６の動作を停止させ、管理を終了させる。
【０１２９】
ステップＳ１４３において、制御部２８１は、媒体貸出指示部２８３を制御して、媒体貸出管理装置２７の動作を終了させる。
【０１３０】
ステップＳ１４４において、制御部２８１は、媒体貸出指示部２８３を介して媒体貸出管理装置２７より供給されてくる媒体の収支情報に基づいて、収支計算部２８１ａを制御して、収支結果を計算させ、収支結果レポートとして表示部２５に表示させる。
【０１３１】
ステップＳ１４５において、制御部２８１は、電源制御部２８４を制御して、遊技店１における遊技設備の電源をシャットダウンする。
【０１３２】
尚、ステップＳ９３において、未退店者が存在しないと判定された場合、ステップＳ９４乃至Ｓ９８の処理がスキップされて、処理は、ステップＳ９９に進む。したがって、ステップＳ１１１乃至Ｓ１１３の処理、および、ステップＳ１３１乃至Ｓ１３４の処理もスキップされることになる。すなわち、未退店者が存在しなければ、自動閉店処理が即座に指示されることになる。
【０１３３】
以上の処理により、出入口１１２の扉が施錠されると、未退店者の有無が判定され、未退店者が存在する場合、携帯端末１７および警備保障会社サーバ１０に通知されることになるため、遊技店１内に存在する係員は、未退店者の存在と共に、その存在位置を把握することができるため、未退店者により不正行為が行われるような状況を防止させるようにすることが可能となる。また、携帯端末１７を所持した係員は、未退店者の位置を把握することができるので、不意の襲撃を予測したり、回避することが可能となる。さらに、警備保障会社サーバ１０に対して、未退店者の存在が迅速に通知されるので、未退店者を速やかに確保できる可能性を高めることが可能となる。
【０１３４】
さらに、未退店者は、意図的なものであるか否かに関わらず、遊技店１において、居残りDB２２に登録させることが可能となるので、警備保障会社の警備員により確保することができない事態となっても、以降において、来店すれば、上述した来店監視処理により来店を認識することが可能となる。また、未退店者は、警備情報管理センタ２の警備情報管理DB３の未登録居残り者DB２５１にも登録されることになるので、図２１を参照して後述する処理により、遊技店１−１乃至１−ｎに配信されることになるので、チェーン店などでは、いずれかの遊技店１において登録されれば、他の遊技店１においても、同様に居残り者として検出することが可能となり、閉店時刻以降の居残りによる不正を、全ての遊技店において抑制することが可能となる。
【０１３５】
次に、図２１のフローチャートを参照して、登録居残り者DB２５２の更新処理について説明する。
【０１３６】
ステップＳ１６１において、警備情報管理センタ２のDB更新判定部２４３は、RTC２４３ａに問合せて、所定の時間が経過したか否かを判定し、所定の時間が経過するまで、その処理を繰り返す。例えば、ステップＳ１６１において、所定の時間が経過したと判定された場合、ステップＳ１６２において、DB更新判定部２４３は、警備情報管理DB３の未登録居残り者DB２５１にアクセスし、未登録居残り者が新たに登録されているか否かを判定し、新たな未登録居残り者が登録されていると判定されるまで、ステップＳ１６１，Ｓ１６２の処理を繰り返す。
【０１３７】
ステップＳ１６２において、例えば、ステップＳ９６の処理により、新たに未登録居残り者が登録されていた場合、ステップＳ１６３において、DB更新判定部２４３は、未登録居残り者DB２５１に新たに登録された未登録遊技者のいずれかが所定回数以上登録されているか否かを判定し、所定回数以上ではない場合、その処理は、ステップＳ１６１に戻る。
【０１３８】
一方、ステップＳ１６３において、例えば、所定回数以上未登録居残り者DB２５１に登録されている未登録居残り者が存在すると判定された場合、ステップＳ１６４において、DB更新判定部２４３は、DB更新部２４２に対して、登録居残り者DB２５２の更新をするべき状態になったことを通知する。これに応じて、DB更新部２４２は、未登録居残り者DB２５１にアクセスし、所定回数以上登録されている未登録居残り者の顔画像の情報を全て読み出すと供に、登録居残り者DB２５２にアクセスし、読み出した所定回数以上登録されていた未登録居残り者の顔画像の情報に、顔画像を識別するIDを付して、登録居残り者DB２５２に追加登録して、更新する。さらに、DB更新部２４２は、登録居残り者DB２５２が更新されたことをDB配信部２４１に通知する。尚、登録居残り者DB２５２の更新が終了した時点で、所定回数以上登録されていた未登録居残り者は、未登録居残り者DB２５１より削除される。
【０１３９】
ステップＳ１６５において、DB配信部２４１は、警備情報管理DB３の新たに更新された登録居残り者DB２５２にアクセスし、読み出すと供に、生体情報認識装置２０のデータベース管理部２１６に読み出した登録居残り者DB２５２を配信する。
【０１４０】
ステップＳ１８１において、データベース管理部２１６は、警備情報管理センタ２より更新された新たな登録居残り者DB２５２が配信されてきたか否かを判定し、配信されてくるまで、その処理を繰り返す。
【０１４１】
ステップＳ１８１において、例えば、ステップＳ１６５の処理により、警備情報管理センタ２のDB配信部２４１より新たに更新された登録居残り者DB２５２が配信されてくると、ステップＳ１８２において、データベース管理部２１６は、配信されてくる登録居残り者DB２５２を取得すると供に、登録居残り者DB２５２の情報に基づいて、居残りDB２２を更新する。より詳細には、データベース管理部２１６は、居残りDB２２に、新たに配信されてきた登録居残り者DB２５２の情報をコピーして上書きする。
【０１４２】
以上の処理により、遊技店１−１乃至１−ｎのいずれかで、未登録居残り者として所定回数以上未登録居残り者DB２５１に登録されると、登録居残り者DB２５２に追加登録されることにより、遊技店１−１乃至１−ｎのいずれの生体情報認識装置２０の居残りDB２２にデータベース化して登録されることになるので、複数の遊技店１においても、入口カメラ４０により撮像されると、居残り者として来店が報知されることになる。
【０１４３】
また、以上においては、図１３のフローチャートにおけるステップＳ１の処理で示されるように、扉が開くというタイミングで顔画像を抽出する例について説明してきたが、特別に撮像のタイミングを決めることなく、撮像し続ける中で、顔画像が抽出されたら、照合するようにしてもよい。
【０１４４】
以上によれば、各店舗における顧客来店情報のみならず複数の店舗における顧客来店記録の収集と、統合的な管理を実現することが可能となる。
【０１４５】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１４６】
図２２は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１４７】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１４８】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１４９】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１５０】
また、本明細書において、システムとは、複数の装置により構成される装置全体を表すものである。
【図面の簡単な説明】
【０１５１】
【図１】本発明を適用した監視システムの一実施の形態の構成を示す図である。
【図２】図１のカメラの設置例を示す図である。
【図３】図１のカメラの設置例を示す図である。
【図４】図１のカメラの設置例を示す図である。
【図５】図１のカメラの設置例を示す図である。
【図６】図１のカメラの設置例を示す図である。
【図７】図１のカメラの設置例を示す図である。
【図８】図１の入口カメラおよび店内カメラの設置例を示す図である。
【図９】図１の画像処理ユニットの構成例を説明する図である。
【図１０】図１の生体情報認識装置の構成例を説明する図である。
【図１１】図１の警備情報管理センタおよび警備情報管理DBの構成例を説明する図である。
【図１２】図１の携帯端末の構成例を説明する図である。
【図１３】図１の遊技台管理装置の構成例を説明する図である。
【図１４】来店監視処理を説明するフローチャートである。
【図１５】入退店者管理DBの構成例を説明する図である。
【図１６】報知画像の表示例を説明する図である。
【図１７】閉店支援処理を説明するフローチャートである。
【図１８】報知画像の表示例を説明する図である。
【図１９】報知画像の表示例を説明する図である。
【図２０】報知画像の表示例を説明する図である。
【図２１】登録遊技者DB更新処理を説明するフローチャートである。
【図２２】パーソナルコンピュータの構成例を説明する図である。
【符号の説明】
【０１５２】
１，１−１乃至１−ｎ  遊技店
２  警備情報管理センタ
３  警備情報管理データベース
４  第３者遊技店管理センタ
５  第３者遊技店管理データベース
６  生体情報管理バス
７  第３者遊技店管理バス
８，９  公衆通信回線網
２１  生体情報認識装置
２２  生体情報データベース
２４  遊技店管理装置
２６  遊技台管理データベース
２７  媒体貸出管理装置
２９  媒体貸出管理データベース
３０  遊技店管理情報バス
３１  生体情報バス
３３  精算機
３４  貸出機
３５  計数機
３６，３６−１乃至３６−ｍ  遊技台
３７，３７−１乃至３７−ｍ  遊技台周辺端末
３８，３８−１乃至３８−ｍ  カメラ
３９，３９−１乃至３９−（ｍ＋ｐ＋ｑ）  画像処理ユニット
４０，４０−１乃至４０−ｐ  入口カメラ
４１，４１−１乃至４１−ｑ  店内カメラ
【図１】
2008023097.tif 000003
【図２】
2008023097.tif 000004
【図３】
2008023097.tif 000005
【図４】
2008023097.tif 000006
【図５】
2008023097.tif 000007
【図６】
2008023097.tif 000008
【図７】
2008023097.tif 000009
【図８】
2008023097.tif 000010
【図９】
2008023097.tif 000011
【図１０】
2008023097.tif 000012
【図１１】
2008023097.tif 000013
【図１２】
2008023097.tif 000014
【図１３】
2008023097.tif 000015
【図１４】
2008023097.tif 000016
【図１５】
2008023097.tif 000017
【図１６】
2008023097.tif 000018
【図１７】
2008023097.tif 000019
【図１８】
2008023097.tif 000020
【図１９】
2008023097.tif 000021
【図２０】
2008023097.tif 000022
【図２１】
2008023097.tif 000023
【図２２】
2008023097.tif 000024